(57)【特許請求の範囲】
【請求項１】
ダムによって形成されたダム湖から前記ダムの下流側に亘って延びて設けられた第１の排水管と、
前記第１の排出管における前記ダム湖内に配置される部分に設けられて前記ダム湖の水を吸水する吸水ポンプと、
前記ダム湖の湖底付近から前記ダムの下流側に亘って前記第１の排水管とともに延びて設けられた第２の排水管と、
前記第１の排水管と前記第２の排水管とを互いに連通させる連通部と、
少なくもと前記第１の排水管および前記第２の排水管における前記連通部の下流側にそれぞれ設けられて管路の開閉を行う開閉弁とを備えたことを特徴とするダムの浚渫システム。
【請求項２】
請求項１に記載したダムの浚渫システムにおいて、
前記連通部は、
前記第１の排水管および前記第２の排水管の上流側から下流側にかけて複数の位置に設けられ、
前記開閉弁は、
前記複数の連通部のうちの少なくとも１つの連通部の下流側にそれぞれ設けられることを特徴とするダムの浚渫システム。
【請求項３】
請求項１または請求項２に記載したダムの浚渫システムにおいて、
前記第１の排水管および前記第２の排水管における最高所に各管内の空気を抜くための開放弁を備えたことを特徴とするダムの浚渫システム。
【請求項４】
請求項１ないし請求項３のうちのいずれか１つに記載したダムの浚渫システムにおいて、
前記吸水ポンプおよび前記開閉弁の各作動を制御する制御装置を備えたことを特徴とするダムの浚渫システム。
【請求項５】
請求項１ないし請求項４のうちのいずれか１つに記載したダムの浚渫システムにおいて、
前記開閉弁は、前記連通部に設けられていることを特徴とするダムの浚渫システム。
【発明の詳細な説明】
【技術分野】
【０００１】
本発明は、ダム湖の湖底に溜まった土砂、泥またはゴミなどの堆積物を取り除くダムの浚渫システムに関する。
【背景技術】
【０００２】
従来から、ダムの貯水機能や発電機能などの諸機能を確保するためにダム湖の湖底に溜まった土砂、泥またはゴミなどの堆積物を取り除く浚渫作業に用いるダムの浚渫システムが提案されている。例えば、下記特許文献１，２には、ダム湖側とダムの下流側との間に浚渫用の排出管と、この排出管内にダム湖の水を導入して排出管内を水で満たすことによりサイホンの原理を作用させるための導水管とを備えたダムの浚渫システムがそれぞれ開示されている。
【先行技術文献】
【特許文献】
【０００３】
【特許文献１】特開昭６１−４５７２１号公報
【特許文献２】特開昭６１−２４６４１０号公報
【０００４】
しかしながら、上記特許文献１，２にそれぞれ記載されたダムの浚渫システムにおいては、ダム湖内から吸引した堆積物が浚渫用の排出管の吸引口や管内に詰まった場合、浚渫作業が続行できなくなるとともに、排出管の詰まりを解消する作業も極めて困難かつ煩雑であるという問題があった。
【発明の概要】
【０００５】
本発明は上記問題に対処するためなされたもので、その目的は、浚渫用の排出管に詰りが生じた場合であっても浚渫作業を続行することができるとともに詰まりを解消する作業負担を軽減することができるダムの浚渫システムを提供することにある。
【０００６】
上記目的を達成するため、本発明の特徴は、ダムによって形成されたダム湖からダムの下流側に亘って延びて設けられた第１の排水管と、第１の排出管におけるダム湖内に配置される部分に設けられてダム湖の水を吸水する吸水ポンプと、ダム湖の湖底付近からダムの下流側に亘って第１の排水管とともに延びて設けられた第２の排水管と、第１の排水管と第２の排水管とを互いに連通させる連通部と、少なくもと第１の排水管および第２の排水管における連通部の下流側にそれぞれ設けられて管路の開閉を行う開閉弁とを備えたことにある。
【０００７】
このように構成した本発明の特徴によれば、ダムの浚渫システムは、ダム湖とダムの下流側との間にかけて第１の排水管と第２の排水管とがそれぞれ延びて設けられているとともに、第１の排出管と第２の排出管とが連通部を介して互いに連通しているため、一方の排出管が詰まった場合においても他方の排出管を用いて浚渫作業を続行することができる。また、本発明に係るダムの浚渫システムにおいては、少なくとも第１の排出管および第２の排出管における連通部の各下流側に開閉弁が設けられているため、各開閉弁を適宜開閉することによって第２の排出管内の水を逆流させて詰りを解消させることができる。これの結果、本発明に係るダムの浚渫システムによれば、浚渫用の排出管に詰りが生じた場合であっても浚渫作業を続行することができるとともに詰まりを解消する作業負担を軽減することができる。
【０００８】
また、本発明の他の特徴は、前記ダムの浚渫システムにおいて、連通部は、第１の排水管および第２の排水管の上流側から下流側にかけて複数の位置に設けられ、開閉弁は、複数の連通部のうちの少なくとも１つの連通部の下流側にそれぞれ設けられることにある。
【０００９】
このように構成した本発明の他の特徴によれば、ダムの浚渫システムは、連通部が第１の排水管および第２の排水管の上流側から下流側にかけて複数の位置に設けられているため、詰りが発生した場所に応じてより細かく流通経路を変更することができるとともに複数の箇所で詰りが生じた場合においても対応が可能となる。
【００１０】
また、本発明の他の特徴は、前記ダムの浚渫システムにおいて、第１の排水管および第２の排水管における最高所に各管内の空気を抜くための開放弁を備えたことにある。
【００１１】
このように構成した本発明の他の特徴によれば、ダムの浚渫システムは、第１の排水管および第２の排水管における最高所に各管内の空気を抜くための開放弁が設けられているため、第１の排水管内および第２の排水管内の各空気を円滑に排出してサイホンの原理を作用させることができる。
【００１２】
また、本発明の他の特徴は、前記ダムの浚渫システムにおいて、吸水ポンプおよび開閉弁の各作動を制御する制御装置を備えたことにある。
【００１３】
このように構成した本発明の他の特徴によれば、ダムの浚渫システムは、吸水ポンプおよび開閉弁の各作動を制御する制御装置を備えているため、浚渫作業自体、および第１の排出管や第２の排出管が詰まった際の詰まりの解消作業を円滑かつ容易に行うことができる。
【００１４】
また、本発明の他の特徴は、前記ダムの浚渫システムにおいて、開閉弁は、連通部に設けられていることにある。
【００１５】
このように構成した本発明の他の特徴によれば、ダムの浚渫システムは、第１の排出管と第２の排出管とを連通部を介して分離できるため、複数の開閉弁を適宜開閉することによって第１の排出管内の水を第２の排出管内に逆流させて第１の排出管内および／または第２の排出管内に詰まった堆積物Ｍを第２の排出管の吸引口まで押し出して排出することができる。
【図面の簡単な説明】
【００１６】
【図１】本発明の一実施形態に係るダムの浚渫システムの物理的なシステム構成の概略を模式的に示した断面図である。
【図２】図１に示すダムの浚渫システムの制御的なシステム構成の概略を示すブロック図である。
【図３】図１に示すダムの浚渫システムにおいて詰まりが生じた際に詰まり部分を迂回して浚渫作業を続行する状態を模式的に示した断面図である。
【図４】本発明の変形例に係るダムの浚渫システムの物理的なシステム構成の概略を模式的に示した断面図である。
【発明を実施するための形態】
【００１７】
以下、本発明に係るダムの浚渫システムの一実施形態について図面を参照しながら説明する。図１は、本発明に係るダムの浚渫システム１００（以下、単に「浚渫システム１００」という）の物理的なシステム構成の概略を模式的に示した断面図である。また、図２は、図１に示すダムの浚渫システム１００の制御的なシステム構成の概略を示すブロック図である。この浚渫システム１００は、ダムＤによって形成されたダム湖Ｌの湖底に溜まった土砂、泥またはゴミなどの堆積物Ｍを取り除くための機械装置である。
【００１８】
（浚渫システム１００の構成）
浚渫システム１００は、第１の排水管１１０および第２の排水管１２０をそれぞれ備えている。第１の排水管１１０は、ダム湖Ｌ内の水および堆積物Ｍをダム湖Ｌの外に導くための管であり、ダム湖ＬとダムＤの下流側との間に延びて形成されている。この第１の排出管１１０は、ダム湖Ｌ内に配置される部分が可撓性を有する樹脂製のフレキシブル管で構成されて浚渫作業船１６０に支持されており、この浚渫作業船１６０より上流部分がダム湖Ｌ内に下垂しているとともに浚渫作業船１６０より下流部分がダム湖Ｌの湖面に図示しないフロート体によって浮いた状態で設けられている。
【００１９】
この場合、第１の排出管１１０におけるダム湖Ｌ内に配置される部分は、浚渫作業船１６０から湖底側およびダムＤ側に対してそれぞれ伸縮自在に構成されている。また、この第１の排出管１１０におけるダム湖Ｌ内の先端部に開口する吸引口１１１には、吸水ポンプ１１２が設けられている。吸水ポンプ１１２は、ダム湖Ｌの水を汲み上げるための機械装置であり、本実施形態においてはダム湖Ｌの水の他、土砂や泥をも吸引できる仕様で構成されている。この吸水ポンプ１１２は、後述する制御装置１７０によって作動が制御される。
【００２０】
一方、第１の排出管１１０は、ダム湖Ｌ内に配置される部分より下流側の部分がＦＲＰ製の管によって構成されており、ダムＤの下流側に向かってダムＤの壁面に固定されている。この場合、第１の排出管１１０におけるダム湖Ｌ内に配置される部分とダムＤの壁面に固定される部分とは互いに着脱自在に接続されている。また、この第１の排出管１１０におけるダムＤに固定された側の先端部は、ダム湖Ｌ内から吸引した水や堆積物ＭをダムＤの下流側に放出するために開口した排出口１１３が形成されている。
【００２１】
第２の排水管１２０は、ダム湖Ｌ内の水および堆積物Ｍをダム湖Ｌの外に導くための管であり、ダム湖ＬとダムＤの下流側との間で第１の排水管１１０に沿って延びて形成されている。この第２の排水管１２０は、第１の排水管１１０と同様に、ダム湖Ｌ内に配置される部分が可撓性を有する樹脂製のフレキシブル管で構成されて浚渫作業船１６０に支持されており、この浚渫作業船１６０より上流部分がダム湖Ｌ内に下垂しているとともに浚渫作業船１６０より下流部分がダム湖Ｌの湖面に図示しないフロート体によって浮いた状態で設けられている。
【００２２】
この場合、第２の排出管１２０におけるダム湖Ｌ内に配置される部分は、浚渫作業船１６０から湖底側およびダムＤ側に対してそれぞれ伸縮自在に構成されている。また、この第２の排出管１２０におけるダム湖Ｌ内の先端部は、ダム湖Ｌの湖底から堆積物Ｍを吸引するために開口する吸引口１２１が形成されている。吸引口１２１は、堆積物Ｍを吸引し易くするために管体を斜めに切断して形成されている。
【００２３】
一方、第２の排出管１２０は、第１の排出管１１０と同様に、ダム湖Ｌ内に配置される部分より下流側の部分がＦＲＰ製の管によって構成されており、ダムＤの下流側に向かってダムＤの壁面に固定されている。この場合、第２の排出管１２０におけるダム湖Ｌ内に配置される部分とダムＤの壁面に固定される部分とは互いに着脱自在に接続されている。また、この第２の排出管１２０におけるダムＤに固定された側の先端部は、ダム湖Ｌ内から吸引した堆積物ＭをダムＤの下流側に放出するために開口した排出口１２２が形成されている。
【００２４】
これらの第１の排出管１１０と第２の排出管１２０とは、複数の連通部１３０ａ，１３０ｂ，１３０ｃによって互いに連通している。各連通部１３０ａ，１３０ｂ，１３０ｃは、第１の排出管１１０および第２の排出管１２０における各吸引口１１１，１２１と各排出口１１３，１２２との間において、第１の排出管１１０と第２の排出管１２０とを互いに連通するための部分であり、第１の排出管１１０と第２の排出管１２０と同様の管体で構成されている。この場合、各連通部１３０ａ，１３０ｂ，１３０ｃは、第１の排出管１１０および第２の排出管１２０に対してそれぞれ図示しない継手を介して互いに接続されている。したがって、本実施形態においては、第１の排出管１１０および第２の排出管１２０は、各連通部１３０ａ〜１３０ｃを境として上流側および下流側がそれぞれ着脱自在に構成されている。
【００２５】
本実施形態においては、各連通部１３０ａ，１３０ｂ，１３０ｃは、第１排出管１１０および第２排出管１２０における浚渫作業船１６０より上流側のダム湖Ｌ内に配置される部分、浚渫作業船１６０とダムＤとの間のダム湖Ｌの水面上に配置される部分、およびダムＤの壁体に沿って配置される部分の３か所にそれぞれ設けられている。
【００２６】
また、第２の排出管１２０における吸引口１２１の直後、第１の排出管１１０および第２の排出管１２０における排出口１１３，１２２の各直前、および連通部１３０ｂ，１３０ｃの各下流側には、それぞれ開閉弁１４０，１４１ａ，１４１ｂ，１４２ａ，１４２ｂ，１４３ａ，１４３ｂが設けられている。開閉弁１４０，１４１ａ，１４１ｂ，１４２ａ，１４２ｂ，１４３ａ，１４３ｂは、第１の排出管１１０および第２の排出管１２０内をダム湖Ｌ内の水や堆積物Ｍが流通可能な状態と流通不可能な状態とに選択的に切り替えることができる弁である。これらの各開閉弁１４０，１４１ａ，１４１ｂ，１４２ａ，１４２ｂ，１４３ａ，１４３ｂは、後述する制御装置１７０によってそれぞれ開閉作動が制御される。すなわち、各開閉弁１４０，１４１ａ，１４１ｂ，１４２ａ，１４２ｂ，１４３ａ，１４３ｂは、本実施形態においては電磁弁によって構成されている。
【００２７】
また、第１の排出管１１０および第２の排出管１２０における浚渫作業船１６０上の部分、および第１の排出管１１０および第２の排出管１２０におけるダムＤを跨る部分には、開放弁１５０ａ〜１５０ｄがそれぞれ設けられている。開放弁１５０ａ〜１５０ｄは、第１の排出管１１０および第２の排出管１２０内にサイホンの原理を作用させるために第１の排出管１１０および第２の排出管１２０内の空気を抜くための電磁弁である。この開放弁１５０ａ〜１５０ｄは、それぞれ制御装置１６０によって開閉作動が制御される。
【００２８】
浚渫作業船１６０は、第１の排出管１１０および第２の排出管１２０における各吸引口１１１，１２１をダム湖Ｌ内で移動させるための船である。この浚渫作業船１６０は、図示しない作業者の操作によって第１の排出管１１０および第２の排出管１２０を繰り出しまたは巻き取り回収ながらダム湖Ｌ上を自由に移動することができる。この浚渫作業船１６０には、制御装置１７０が設けられている。
【００２９】
制御装置１７０は、ＣＰＵ、ＲＯＭ、ＲＡＭなどからなるマイクロコンピュータによって構成されており、吸水ポンプ１１２、各開閉弁１４０，１４１ａ，１４１ｂ，１４２ａ，１４２ｂ，１４３ａ，１４３ｂおよび各開放弁１５０ａ〜１５０ｄの各作動をそれぞれ制御する。具体的には、制御装置１７０は、後述する操作子１７１の操作に応じてＲＯＭなどの記憶装置に予め記憶された制御プログラムを実行することによって吸水ポンプ１１２、各開閉弁１４０，１４１ａ，１４１ｂ，１４２ａ，１４２ｂ，１４３ａ，１４３ｂおよび各開放弁１５０ａ〜１５０ｄの各作動をそれぞれ制御する。
【００３０】
この制御装置１７０には、操作子１７１および表示装置１７２がそれぞれ接続されている。操作子１７１は、制御装置１７０に対して作業者の指示を入力するための入力装置であり、吸水ポンプ１１２、各開閉弁１４０，１４１ａ，１４１ｂ，１４２ａ，１４２ｂ，１４３ａ，１４３ｂおよび各開放弁１５０ａ〜１５０ｄの各作動をそれぞれ指示するための押しボタンによって構成されている。また、表示装置１７２は、制御装置１７０の作動状態を表示するための液晶表示画面である。なお、この浚渫作業船１６０には、制御装置１７０の他に制御装置１７０、吸水ポンプ１１２、各開閉弁１４０，１４１ａ，１４１ｂ，１４２ａ，１４２ｂ，１４３ａ，１４３ｂおよび各開放弁１５０ａ〜１５０ｄに電力をそれぞれ供給するための図示しない電源部なども備えているが、これらについては、本発明に直接関わらないため、その説明は省略する。
【００３１】
（浚渫システム１００の作動）
次に、上記のように構成した浚渫システム１００の作動について説明する。まず、ダムＤのダム湖Ｌ内で浚渫作業を行う作業者は、ダム湖Ｌ内で浚渫作業を行う作業個所に浚渫作業船１６０を位置させる。この場合、作業者は、浚渫作業船１６０の移動に伴って浚渫作業船１６０とダムＤとの間に第１の排出管１１０および第２の排出管１２０を送り出しながら第１の排出管１１０および第２の排出管１２０を配置する。
【００３２】
次に、作業者は、第１の排出管１１０および第２の排出管１２０における各吸引口１１１，１２１側をそれぞれダム湖Ｌ内に挿し入れる。この場合、作業者は、第１の排出管１１０については、吸引口１１１をダム湖Ｌの湖底から十分に離れた深さの位置に位置決めする。また、作業者は、第２の排出管１２０については、吸引口１２１をダム湖Ｌの湖底に近い深さの位置に位置決めする。
【００３３】
次に、作業者は、サイホンの原理を利用してダム湖Ｌの水をダムＤの下流側に送る。具体的には、作業者は、操作子１７１を操作することにより制御装置１７０を介して開閉弁１４１ａ，１４１ｂ，１４２ａ，１４２ｂおよび開放弁１５０ａ〜１５０ｄをそれぞれ開くとともに開閉弁１４０，１４３ａ，１４３ｂをそれぞれ閉じた後、操作子１７１を操作することにより制御装置１７０を介して吸水ポンプ１１２の作動を開始させる。
【００３４】
これにより、第１の排出管１１０および第２の排出管１２０の各管内は、ダム湖Ｌから吸引した水が呼び水として導入される。この場合、第１の排出管１１０および第２の排出管１２０には、経路上における高所に開放弁１５０ａ〜１５０ｄがそれぞれ設けられているため、第１の排出管１１０および第２の排出管１２０の各管内の空気は呼び水が満たされるに従って開放弁１５０ａ〜１５０ｄから排出される。
【００３５】
したがって、作業者は、１５０ａ〜１５０ｄのうち最も高所にある開放弁１５０ａ，１５０ｂから水がそれぞれ噴出した場合には、第１の排出管１１０および第２の排出管１２０の各管内が呼び水で満たされたものとして操作子１７１を操作することにより制御装置１７０を介して開放弁１５０ａ〜１５０ｄを閉じるとともに開閉弁１４０，１４３ｂをそれぞれ開く。これにより、第２の排出管１２０は、吸水ポンプ１１２によって吸水された水とサイホンの原理が作用することによって吸水された水とがそれぞれ流通して排出口１２２から排出される。次いで、作業者は、操作子１７１を操作して吸水ポンプ１１２の作動を停止させることによってサイホンの原理のみによってダム湖Ｌの水が第２の排出管１２０を介してダムＤの下流側に排出させる。
【００３６】
次に、作業者は、ダム湖Ｌの浚渫作業を開始する。具体的には、作業者は、第２の排出管１２０の吸引口１２１をダム湖Ｌの湖底に堆積した堆積物Ｍに近づける。これにより、ダム湖Ｌの湖底に堆積した堆積物Ｍは、ダム湖Ｌの水とともに第２の排出管１２０の吸引口１２１から吸引された後、第２の排出管１２０を介して排出口１２２から排出される。したがって、作業者は、ダム湖Ｌの湖底上における吸引口１２１の位置を移動させることによりダム湖Ｌ内の浚渫作業を行うことができる。
【００３７】
このような浚渫作業中においては、第２の排出管１２０の吸引口１２１や吸引口１２１と排出口１２２との間の管内に堆積物Ｍが詰まって堆積物Ｍの円滑な吸引および排出に支障が生じる場合がある。この場合、作業者は、第２の排出管１２０の吸引口１２１に詰りが生じた場合には詰まりの解消作業を行うとともに、管内に詰りが生じた場合には浚渫作業の続行を行うことができる。
【００３８】
第２の排出管１２０の吸引口１２１（または、第２の排出管１２０における連通部１３０ａまでの間）に詰まりが生じた場合、作業者は、第２の排出管１２０の管内の水を吸引口１２１に向けて逆流させることにより詰りを解消させる。具体的には、作業者は、操作子１７１を操作することにより開閉弁１４１ａ，１４１ｂを閉じるとともに吸水ポンプ１１２の作動を開始せる。これにより、吸水ポンプ１１２によって第１の排出管１１０内に導入された水は、連通孔１３０ａ，１３０ｂをそれぞれ介して第２の排出管１２０内に流入して吸引口１２１に向かって導かれるため、吸引口１２１に詰まった堆積物Ｍを押し出して詰りを解消することができる。吸引口１２１の詰まりが解消した場合、作業者は、操作子１７１を操作することにより吸水ポンプ１１２の作動を停止させるとともに開閉弁１４１ａ，１４１ｂを開いて元の状態に復帰させる。
【００３９】
一方、第２の排出管１２０の管内に詰まりが生じた場合、作業者は、浚渫作業に用いる第２の排出管１２０を第１の排出管１１０に切替作業を行う。具体的には、作業者は、詰まりの発生した個所に応じて開閉弁１４１ａ，１４１ｂ，１４２ａ，１４２ｂ，１４３ａ，１４３ｂを適宜開閉させて吸引口１２１から吸引した堆積物Ｍの流通経路を確保して排出口１１３および／または排出口１２２から排出させる。
【００４０】
例えば、図３に示すように、第２の排出管１２０における連通部１３０ｂと連通部１３０ｃとの間の管内で詰まりＴ１が生じた場合には、作業者は操作子１７１を操作することにより開閉弁１４１ａ，１４２ｂを開いた状態で開閉弁１４１ｂ，１４２ａを閉じる。これにより、第２の排出管１２０の吸引口１２１から吸引された堆積物Ｍは、連通部１３０ａ，１３０ｂをそれぞれ介して第１の排出管１１０に流入して第１の排出管１１０内を開閉弁１４２ａの直前まで導かれた後、連通部１３０ｃを介して第２の排出管１２０に導かれて開閉弁１４２ｂを介して排出口１２２から排出される。すなわち、浚渫システム１００は、第２の排出管１２０における開閉弁１４１ｂと開閉弁１４２ｂとの間の管路を避けて（換言すれば、迂回して）堆積物ＭをダムＤの下流側に導くことができる。
【００４１】
なお、この場合、作業者は、作業者は操作子１７１を操作して少なくとも開閉弁１４１ａを開くととともに開閉弁１４１ｂを閉じた状態で、開閉弁１４２ｂを開くことに代えてまたは加えて開閉弁１４２ａを開くようにしてもよい。これによれば、第２の排出管１２０の吸引口１２１から吸引された堆積物Ｍは、連通部１３０ａ，１３０ｂをそれぞれ介して第１の排出管１１０に流入して第１の排出管１１０内を開閉弁１４２ａの直前まで導かれた後、そのまま開閉弁１４２ａを介して排出口１１３から排出、または連通部１３０ｃを介して第２の排出管１２０に導かれて開閉弁１４２ｂを介して排出口１２２から排出される。
【００４２】
また、これらの場合、作業者は、第２の排出管１２０における開閉弁１４１ｂと開閉弁１４２ｂとの間の管路を迂回させている間、開閉弁１４１ｂと開閉弁１４２ｂとの間の管路を第２の排出管１２０から取り外して詰りＴ１を解消する作業や同区間の管を新品に交換する作業を行うことができる。なお、図３においては、詰まりＴ１〜Ｔ３を誇張して示すとともに開閉弁１４１ｂ，１４２ａの閉じた状態を塗りつぶして示している。
【００４３】
また、例えば、第２の排出管１２０における連通部１３０ａと連通部１３０ｂとの間の管内で詰まりＴ２が生じた場合においては、第２の排出管１２０の吸引口１２１から吸引された堆積物Ｍは連通部１３０ａを介して第１の排出管１１０に流入した後、連通部１３０ｂ以降の第１の排出管１１０および／または第２の排出管１２０を介してダムＤの下流側に排出される。
【００４４】
また、例えば、第２の排出管１２０における連通部１３０ｃ以降の管内で詰まりＴ３が生じた場合においては、第２の排出管１２０の吸引口１２１から吸引された堆積物Ｍは連通部１３０ｃを介して第１の排出管１１０に流入した後、開閉弁１４２ａを介して排出口１１３から排出される。このように、作業者は、各開閉弁１４１ａ，１４１ｂ，１４２ａ，１４２ｂを適宜開閉させて堆積物Ｍを流通させる管路を選択することによって浚渫作業の続行することができる。
【００４５】
そして、作業者は、ダム湖Ｌ内の浚渫作業を終える場合には、操作子１７１を操作して開閉弁１４０を閉じる。これにより、浚渫システム１００は、第１の排出管１１０内および第２の排出管１２０内への水、堆積物Ｍおよび空気の流入が止まるため、浚渫作業を中断することができる。この場合、作業者は、開閉弁１４０以外の開閉弁、具体的には、開閉弁１４１ａ，１４１ｂ，１４２ａ，１４２ｂ，１４３ａ，１４３ｂを閉めることによっても浚渫作業を中断することができる。また、作業者は、第１の排出管１１０および第２の排出管１２０の各吸引口１１１，１２１をダム湖Ｌ上に引き上げる、または操作子１７１を操作して開放弁１５０〜１５０ｄを開いて第１の排出管１１０および第２の排出管１２０の各管内に空気を導入することによってサイホンの原理を解消して浚渫作業を中断することもできる。
【００４６】
上記作動説明からも理解できるように、上記実施形態によれば、浚渫システム１００は、ダム湖ＬとダムＤの下流側との間に掛けて第１の排水管１１０と第２の排水管１２０とが平行に延びて設けられているとともに、第１の排出管１１０と第２の排出管１２０とが連通部１３０ａ〜１３０ｃを介して互いに連通しているため、一方の排出管が詰まった場合においても他方の排出管を用いて浚渫作業を続行することができる。また、本発明に係る浚渫システム１００においては、第１の排出管１１０および第２の排出管１２０における複数の連通部１３０ｂ，１３０ｃの各下流側に開閉弁１４０，１４１ａ，１４１ｂ，１４２ａ，１４２ｂ，１４３ａ，１４３ｂがそれぞれ設けられているため、これらの各開閉弁１４０，１４１ａ，１４１ｂ，１４２ａ，１４２ｂ，１４３ａ，１４３ｂを適宜開閉することによって第２の排出管１２０内の水を逆流させて管内の詰りを解消させることができる。これらの結果、本発明に係るダムの浚渫システム１００によれば、各排出管に詰りが生じた場合であっても浚渫作業を続行することができるとともに詰まりを解消する作業負担を軽減することができる。
【００４７】
さらに、本発明の実施にあたっては、上記実施形態に限定されるものではなく、本発明の目的を逸脱しない限りにおいて種々の変更が可能である。
【００４８】
例えば、上記実施形態においては、ダム湖Ｌの堆積物Ｍを第２の排出管１２０を用いてダムＤの下流側に排出するように構成した。しかし、浚渫システム１００は、呼び水を吸水した吸水ポンプ１１２を作動し続けることにより第１の排出管１１０を用いて浚渫作業を行うこともできる。この場合、第１の排出管１１０が詰まった場合には、作業者は操作子１１７を操作して開閉弁１４０，１４１ａ，１４１ｂ，１４２ａ，１４２ｂ，１４３ａ，１４３ｂを適宜開閉することにより堆積物Ｍの流通経路を第１の排出管１１０から第２の排出管１２０に切り替えることによって浚渫作業を続行することができる。
【００４９】
また、上記実施形態においては、浚渫システム１００は、第１の排出管１１０および第２の排出管１２０に開放弁１５０ａ〜１５０ｄをそれぞれ備えて構成した。しかし、浚渫システム１００は、少なくとも第１の排出管１１０および第２の排出管１２０における各最高所（本実施形態においては、ダムＤを跨ぐ箇所に設置した開放弁１５０ｃ，１５０ｂ）に設けられていればよい。
【００５０】
また、上記実施形態においては、浚渫システム１００は、吸水ポンプ１１２および開閉弁１４０，１４１ａ，１４１ｂ，１４２ａ，１４２ｂ，１４３ａ，１４３ｂの各作動を総合的に制御する制御装置１７０を備えている。しかし、浚渫システム１００は、吸水ポンプ１１２および開閉弁１４０，１４１ａ，１４１ｂ，１４２ａ，１４２ｂ，１４３ａ，１４３ｂを個別に操作子１７１を設けてこれらを個別に作動制御するようにしてもよいし、開閉弁１４０，１４１ａ，１４１ｂ，１４２ａ，１４２ｂ，１４３ａ，１４３ｂを手動で開閉できる弁で構成することもできる。
【００５１】
また、上記実施形態においては、浚渫システム１００は、開閉弁１４０，１４１ａ，１４１ｂ，１４２ａ，１４２ｂ，１４３ａ，１４３ｂを備えて構成した。しかし、開閉弁１４０，１４１ａ，１４１ｂ，１４２ａ，１４２ｂ，１４３ａ，１４３ｂは、第１の排出管１１０および第２の排出管１２０における連通部１３０ａ〜１３０ｂのうちの少なくとも１つの下流側に設けられていればよい。したがって、例えば、浚渫システム１００は、開閉弁１４０を省略して構成することができるとともに、開閉弁１４０を第１の排出管１１０における吸水ポンプ１１２の直後に設けることもできる。
【００５２】
また、開閉弁は、開閉弁１４１ａ，１４１ｂ，１４２ａ，１４２ｂに代えてまたは加えて連通部１３０ａ〜１３０ｃ自体に設けることもできる。例えば、図４に示すように、開閉弁１４１ａ，１４１ｂ，１４２ａ，１４２ｂに加えて連通部１３０ａ〜１３０ｃに開閉弁１８０ａ，１８０ｂ，１８０ｃをそれぞれ設けることができる。これによれば、第１の排出管１１０と第２の排出管１２０とを開閉弁１８０ａ，１８０ｂ，１８０ｃを介して分離できるため、複数の開閉弁を適宜開閉することにより第１の排出管１１０内の水を第２の排出管１２０内に逆流させて第１の排出管１１０内および／または第２の排出管１２０内の詰まりを第２の排出管１２０の吸引口１２１側に押圧することができる。この場合、作業者は、第１の排出管１１０内および／または第２の排出管１２０内に生じた詰り物を開閉弁を適宜開閉させることによって吸引口１１１，１２１側に押したり排出口１１３，１２２側に押したりして詰まりを解消することができるとともに吸引口１１１，１２１または排出口１１３，１２２まで押して外部に排出することもできる。
【００５３】
また、上記実施形態においては、浚渫システム１００は、３つの連通部１３０ａ〜１３０ｃを備えて構成した。しかし、連通部１３０ａ〜１３０ｃの数は、第１の排出管１１０内および第２の排出管１２０に対して１つ以上あれば必ずしも上記実施形態に限定されるものではない。
【符号の説明】
【００５４】
Ｄ…ダム、Ｌ…ダム湖、Ｍ…堆積物、Ｔ１〜Ｔ３…詰まり、
１００…浚渫システム、
１１０…第１の排出管、１１１…吸引口、１１２…吸水ポンプ、１１３…排出口、
１２０…第２の排出管、１２１…吸引口、１２２…排出口、
１３０ａ〜１３０ｃ…連通部、
１４０，１４１ａ，１４１ｂ，１４２ａ，１４２ｂ，１４３ａ，１４３ｂ…開閉弁、
１５０ａ〜１５０ｄ…開放弁、
１６０…浚渫作業船、
１７０…制御装置、１７１…操作子、１７２…表示装置、
１８０ａ〜１８０ｃ…開閉弁。
【図１】
0006033195.tif 000002
【図２】
0006033195.tif 000003
【図３】
0006033195.tif 000004
【図４】
0006033195.tif 000005